(57)【要約】【課題】ユーザの指示した処理を実行する機器を、ユーザの行動に応じて選択する機器選択装置を提供すること。【解決手段】複数の処理実行機器の位置情報を記憶する位置情報記憶手段と、処理実行機器によって実行すべき処理内容を指示する処理情報を取得する処理情報取得手段と、処理実行機器の処理受付状況と該処理実行機器の処理実行速度とに基づいて該処理実行機器が前記処理内容を実行したときの処理終了時刻を予測する終了時刻予測手段と、処理情報に対応づけられた携帯端末の位置情報を取得する位置情報取得手段と、位置情報取得手段が取得した携帯端末の位置情報および取得時刻と携帯端末の想定移動速度とに基づいて推定される、携帯端末が処理実行機器の近傍に到着する到着時刻および処理終了時刻に基づいて、処理内容を実行すべき処理実行機器を特定する機器選択手段と、を備えるよう、機器選択装置を構成する。【選択図】図５
2017027300.tif 000002
【特許請求の範囲】
【請求項１】
所定の処理を実行する複数の処理実行機器の位置情報を記憶する位置情報記憶手段と、
前記複数の処理実行機器のいずれかによって実行すべき処理内容を指示する処理情報を取得する処理情報取得手段と、
前記複数の処理実行機器の処理受付状況と該処理実行機器の処理実行速度とに基づいて該処理実行機器が前記処理内容を実行したときの処理終了時刻を予測する終了時刻予測手段と、
前記処理情報と対応づけられた携帯端末の位置情報を取得する位置情報取得手段と、
前記位置情報取得手段が取得した前記携帯端末の位置情報および取得時刻と前記携帯端末の想定移動速度とに基づいて推定される、前記携帯端末が前記複数の処理実行機器の近傍に到着する到着時刻、および、前記処理終了時刻に基づいて、前記処理内容を実行すべき処理実行機器を選択する機器選択手段と、を備えることを特徴とする機器選択装置。
【請求項２】
前記位置情報取得手段は、前記携帯端末の位置情報を複数回取得し、
前記機器選択手段は、前記位置情報取得手段が先に取得した前記携帯端末の位置情報および取得時刻と、後に取得した前記携帯端末の位置情報および取得時刻と、に基づいて、前記想定移動速度を算出することを特徴とする請求項１に記載の機器選択装置。
【請求項３】
前記機器選択手段は、前記複数の処理実行機器のうち、前記到着時刻よりも前記処理終了時刻が先の処理実行機器を選択することを特徴とする請求項１または２に記載の機器選択装置。
【請求項４】
前記機器選択手段は、前記到着時刻よりも前記処理終了時刻が先の処理実行機器のうち、前記位置情報記憶手段に記憶される位置情報が、取得した前記携帯端末の位置情報に最も近い処理実行機器を選択することを特徴とする請求項３に記載の機器選択装置。
【請求項５】
前記機器選択手段は、
前記想定移動速度に基づいて推定される、該処理実行機器の位置から位置情報を取得した前記携帯端末の位置までの移動に要する時間である推定移動時間を推定し、
前記複数の処理実行機器のうち、前記到着時刻または前記処理終了時刻のいずれか遅い方の時刻に前記推定移動時間を加えた時刻が最も早い処理実行機器を選択することを特徴とする請求項１または２に記載の機器選択装置。
【請求項６】
選択された前記処理実行機器に前記処理内容を実行させる選択機器実行手段をさらに備えることを特徴とする請求項１ないし５のいずれか一項に記載の機器選択装置。
【請求項７】
選択された前記処理実行機器を前記携帯端末に通知する選択装置通知手段をさらに備えることを特徴とする請求項６に記載の機器選択装置。
【請求項８】
前記選択装置通知手段が通知した前記処理実行機器に対する承諾を前記携帯端末から受信するまで、前記処理実行手段が前記処理実行機器に前記処理内容を実行させないことを特徴とする請求項７に記載の機器選択装置。
【請求項９】
所定の処理を実行する複数の処理実行機器と、
前記複数の処理実行機器のいずれかによって実行すべき処理内容を指示する処理情報に対応づけられた携帯端末と、
前記複数の処理実行機器から、前記処理内容を実行すべき処理実行機器を選択する機器選択装置と、をネットワークで接続してなる機器選択システムであって、
前記機器選択装置は、
前記複数の処理実行機器との位置情報を記憶する位置情報記憶手段と、
前記処理内容を取得する処理情報取得手段と、
前記複数の処理実行機器の処理受付状況と該処理実行機器の処理実行速度とに基づいて該処理実行機器が前記処理内容を実行したときの処理終了時刻を予測する終了時刻予測手段と、
前記携帯端末の位置情報を取得する位置情報取得手段と、
前記位置情報取得手段が取得した前記携帯端末の位置情報および取得時刻と前記携帯端末の想定移動速度とに基づいて推定される、前記携帯端末が前記複数の処理実行機器の近傍に到着する到着時刻、および、前記処理終了時刻に基づいて、前記処理内容を実行すべき処理実行機器を選択する機器選択手段と、を備える
ことを特徴とする、機器選択システム。
【請求項１０】
所定の処理を実行する複数の処理実行機器の位置情報を記憶する位置情報記憶工程と、
前記複数の処理実行機器のいずれかによって実行すべき処理内容を指示する処理情報を取得する処理情報取得工程と、
前記複数の処理実行機器の処理受付状況と該処理実行装置の処理実行速度とに基づいて該処理実行機器が前記処理内容を実行したときの処理終了時刻を予測する終了時刻予測工程と、
前記処理情報に対応づけられた携帯端末の位置情報を取得する位置情報取得工程と、
前記位置情報取得工程にて取得した前記携帯端末の位置情報および取得時刻と前記携帯端末の想定移動速度とに基づいて推定される、前記携帯端末が前記複数の処理実行機器の近傍に到着する到着時刻、および、前記処理終了時刻に基づいて、前記処理内容を実行すべき処理実行機器を選択する機器選択工程と、を備えることを特徴とする機器選択方法。
【発明の詳細な説明】
【技術分野】
【０００１】
本願は、機器選択装置、機器選択システムおよび機器選択方法に関する。
【背景技術】
【０００２】
携帯端末からの印刷指示を受け付けて省電力状態から印刷可能状態に移行し、印刷を実行する画像形成装置が知られている。特許文献１には、携帯端末と画像形成装置との距離に応じて画像形成装置を印刷可能状態に移行させることで、ユーザの行動に応じて使用する機器の電源を制御することを可能とする電源制御装置が記載されている。
【発明の概要】
【発明が解決しようとする課題】
【０００３】
特許文献１に記載の電源制御装置は、携帯端末と画像形成装置との距離に着目して電源制御を行っているため、電源制御としては適切に行われるものの、ユーザの行動状況によってはタイムリーに印刷を実行できない場合がある。例えば、ユーザＡとユーザＢが印刷指示を行ってユーザＡが先に印刷可能状態に移行すべき距離まで近づいたとすると、後で近づいたユーザＢはユーザＡの印刷完了を待たなければならない。すなわち、画像形成装置の電源制御としては適切に行われるものの、ユーザＢにとっては待ち時間が発生してしまう。
【０００４】
本発明は、ユーザの指示した処理を実行する機器を、ユーザの行動に応じて選択することを目的とする。
【課題を解決するための手段】
【０００５】
上述した課題を解決するために、本発明にかかる機器選択装置は、所定の処理を実行する複数の処理実行機器の位置情報を記憶する位置情報記憶手段と、複数の処理実行機器のいずれかによって実行すべき処理内容を指示する処理情報を取得する処理情報取得手段と、複数の処理実行機器の処理受付状況と該処理実行機器の処理実行速度とに基づいて該処理実行機器が前記処理内容を実行したときの処理終了時刻を予測する終了時刻予測手段と、処理情報と対応づけられた携帯端末の位置情報を取得する位置情報取得手段と、位置情報取得手段が取得した携帯端末の位置情報および取得時刻と携帯端末の想定移動速度とに基づいて推定される、携帯端末が複数の処理実行機器の近傍に到着する到着時刻、および、処理終了時刻に基づいて、処理内容を実行すべき処理実行機器を選択する機器選択手段と、を備えることを特徴とする。
【発明の効果】
【０００６】
本発明にかかる機器選択装置により、ユーザの指示した処理を実行する機器を、ユーザの行動に応じて選択することが可能となる。
【図面の簡単な説明】
【０００７】
【図１】機器選択システムの概略構成の一例を示す図である。
【図２】機器選択装置のハードウェア構成の一例を示す図である。
【図３】携帯端末のハードウェア構成の一例を示す図である。
【図４】処理実行機器のハードウェア構成の一例を示す図である。
【図５】機器選択システムの機能ブロックの一例を示す図である。
【図６】機器選択装置の処理フローの一例を示す図である。
【発明を実施するための形態】
【０００８】
以下、本発明の実施の形態について詳細に説明する。
【０００９】
＜機器選択システムの概略構成＞
図１は、機器選択システムの概略構成の一例を示す図である。図１に示すように、機器選択システム１は、機器選択装置１０と、携帯端末２０と、処理実行機器３０ａ、３０ｂとを有して構成される。これらの各装置は、例えばネットワークを介して通信可能に接続されている。各機器の数はこれに限定されない。
【００１０】
機器選択システム１において、いずれかの処理実行機器で実行すべき所定の処理を要求する情報を機器選択装置１０に送信される。ユーザは、所定の処理に対応づけられた携帯端末２０を保持して移動する。機器選択装置１０は、携帯端末２０からユーザの行動に関連する情報をあわせて受信し、ユーザの行動に応じて要求された処理を実行すべき処理実行機器を選択する。ユーザは選択された処理実行機器に向かい、処理結果を受け取るのである。
【００１１】
＜機器選択装置のハードウェア構成＞
機器選択装置１０は、携帯端末２０から取得する処理情報を実行すべき処理実行機器を、処理実行機器３０ａ、３０ｂ等の情報および携帯端末２０から受信する情報に基づいて選択する。機器選択装置は、図２に例示されるネットワークに接続された一般的なコンピュータ装置のＣＰＵ１００に所定のプログラムを実行させることにより構成可能である。
【００１２】
＜携帯端末のハードウェア構成＞
携帯端末２０は、ユーザにより保持される端末装置であり、処理実行機器にて実行すべき処理情報に対応づけられる。ユーザは、携帯端末２０を保持して処理実行機器に近づくことにより、処理情報の実行結果を得ることができる。携帯端末は、図３に例示される一般的なスマートフォンやタブレット、ＰＤＡ等のＣＰＵ１００に所定のプログラムを実行させることにより構成可能である。
【００１３】
＜処理実行機器のハードウェア構成＞
処理実行機器３０ａ、３０ｂは、受け付けた処理情報に基づいて処理を実行する。本実施形態における処理実行機器は、ＭＦＰ（Ｍｕｌｔｉｆｕｎｃｔｉｏｎ  Ｐｅｒｉｐｈｅｒａｌ）等であり、ＭＦＰの場合には、コピー機能、スキャン機能、プリント機能等の画像処理を実行可能である。処理実行機器の実行する処理はこれに限らず、例えば光ディスクへのデータの書き込みなどであってもよい。処理実行装置３０ａ、３０ｂは、図４に例示される一般的なハードウェア構成において、必要に応じてＣＰＵ３００に所定のプログラムを実行させることにより構成可能である。画像処理以外の処理を実行する処理実行機器３０ａ、３０ｂの場合、プロッタ３５０やスキャナ３６０に代えて処理の実行に必要なハードウェア構成を備えるようにすればよい。
【００１４】
＜機器選択システム１の機能構成＞
図５を参照して、本実施形態の機器選択システム１の機能構成を説明する。図５を参照すると、本実施形態の機器選択装置１０は、位置情報記憶手段１１、処理情報取得手段１２、終了時刻予測手段１３、位置情報取得手段１４、機器選択手段１５、選択機器実行手段１６および選択機器通知手段１７を備えて構成される。携帯端末２０は、処理情報指定手段２１、処理情報送信手段２２、位置情報送信手段２３、選択機器承諾手段２４を備えて構成される。処理実行機器３０ａは、位置情報提供手段３１、受付状況管理手段３２、処理実行手段３３を備えて構成される。処理実行機器３０ｂの機能構成は、処理実行装置３０ａと同様であるので記載を省略し、以下の説明では複数の処理実行機器についてすべて処理実行機器３０ａとして記載する。
【００１５】
＜機器選択装置１０の機能構成＞
位置情報記憶手段１１は、所定の処理を実行する複数の処理実行機器３０ａの位置情報を記憶する。処理実行機器３０ａの位置情報は、後述する処理実行機器３０ａの位置情報提供手段３１が提供するものを受信してもよいし、他の機器から取得してもよい。位置情報記憶手段１１は、ハードディスクドライブなどの不揮発記憶部１４０により構成可能である。
【００１６】
処理情報取得手段１２は、複数の処理実行機器３０ａのいずれかによって実行すべき処理内容を指示する処理情報を取得する。処理情報は、後述する携帯端末２０の処理情報送信手段２２が送信するものを受信してもよいし、他の機器から取得してもよい。携帯端末２０が送信する処理情報を受信する場合、その処理情報と携帯端末２０とが対応づけられる。他の機器から取得する場合、他の機器または携帯端末２０から、処理情報と携帯端末２０とを対応づける情報をあわせて取得する。例えば、処理情報を送信する他の機器が処理情報と対応づけて作成するチケットを、対応づける情報として使用することができる。処理情報取得手段１２は、ＣＰＵ１００で所定のプログラムを実行してネットワークＩ／Ｆ１２０を制御することにより構成可能である。
【００１７】
終了時刻予測手段１３は、複数の処理実行機器３０ａの処理受付状況と該処理実行機器３０ａの処理実行速度とに基づいて該処理実行機器３０ａが処理内容を実行したときの処理終了時刻を予測する。複数の処理実行機器３０ａの処理受付状況は、後述する処理実行機器３０ａの受付状況管理手段３２が管理する情報を受信することにより把握可能である。処理実行装置３０ａの処理実行速度は、処理実行装置３０ａが受け付けた処理を実行するのに要する標準的な１件あたりの時間であり、不揮発記憶部１４０に記憶され、または都度処理実行装置３０ａから取得される。処理終了時刻は、受け付けた処理件数に処理実行速度を乗ずることにより算出できる。受け付ける処理が複数種類に分類できる場合、種類ごとに処理実行速度を把握するようにすると、より正確な処理終了時刻の予測が可能となる。終了時刻予測手段１３は、ＣＰＵ１００で所定のプログラムを実行することにより構成可能である。
【００１８】
位置情報取得手段１４は、処理情報と対応づけられた携帯端末２０の位置情報を取得する。処理情報と携帯端末２０との対応づけは、処理情報取得手段１２における処理情報の取得のときにあわせて取得される。携帯端末２０の位置情報の取得は、後述する携帯端末２０の位置情報送信手段２３が送信する位置情報を受信することにより可能である。位置情報を時系列的に前後するよう複数回にわたって取得するようにしてもよい。位置情報取得手段１４は、ＣＰＵ１００で所定のプログラムを実行してネットワークＩ／Ｆ１２０を制御することにより構成可能である。
【００１９】
機器選択手段１５は、位置情報取得手段１４が取得した携帯端末２０の位置情報および取得時刻と携帯端末２０の想定移動速度とに基づいて推定される、携帯端末２０が複数の処理実行機器３０ａの近傍に到着する到着時刻、および、処理終了時刻に基づいて、処理内容を実行すべき処理実行機器３０ａを特定する。想定移動速度は、不揮発記憶部１４０に記憶された予め設定される一意の値でもよく、ユーザごとに定められる値でもよい。また、位置情報取得手段１４にて携帯端末２０の位置情報を時系列的に前後するよう複数回にわたり取得するようにし、先に取得した携帯端末２０の位置情報および取得時刻と、後に取得した携帯端末２０の位置情報および取得時刻と、に基づいて、携帯端末２０の想定移動速度を算出することもできる。このようにして得られる想定移動速度と、位置情報記憶手段１１の記憶する処理実行機器３０ａの位置情報と、取得した携帯端末２０の位置情報とに基づいて、これらの位置間の移動に要する時間を計算し、携帯端末２０の処理実行機器３０ａ近傍への到着時刻を推定することができる。ここで、携帯端末２０の位置情報を複数回取得する場合、後で取得した携帯端末の位置情報を使用すると、より正確な到着時刻の推定が可能である。機器選択手段１５は、複数の処理実行機器３０ａごとに求めた到着時刻と処理終了時刻とに基づいて、処理内容を実行すべき処理実行機器３０ａを選択する。機器選択手段１５は、ＣＰＵ１００で所定のプログラムを実行することにより構成可能である。
【００２０】
機器選択手段１５が到着時刻と処理終了時刻とに基づいて処理内容を実行すべき処理実行機器を選択するにあたり、複数の処理実行機器３０ａのうち到着時刻よりも処理終了時刻が先の処理実行機器３０ａを選択するようにしてもよい。このようにすると、携帯端末２０が近傍に到着するまでに処理終了が見込まれる処理実行機器３０ａが選択されるため、ユーザの待ち時間をなくすことができる。
【００２１】
機器選択手段１５が到着時刻と処理終了時刻とに基づいて処理内容を実行すべき処理実行機器３０ａを選択するにあたり、位置情報記憶手段１１に記憶される位置情報が、取得した携帯端末の位置情報に最も近い処理実行機器３０ａを選択するようにしてもよい。特に、複数回位置情報を取得する場合においては後に取得した位置情報を使用することができる。このようにすると、携帯端末２０が近傍に到着するまでに処理終了が見込まれる処理実行機器３０ａのうち、ユーザの直近の位置から最寄りのものが選択されるため、ユーザは待ち時間がなく、かつ、移動時間も最短とすることができる。
【００２２】
機器選択手段１５が到着時刻と処理終了時刻とに基づいて処理内容を実行すべき処理実行機器３０ａを選択するにあたり、想定移動速度に基づいて推定される、処理実行機器３０ａの位置から位置情報を取得したときの携帯端末２０の位置までの移動に要する時間である推定移動時間を推定し、複数の処理実行機器３０ａのうち、到着時刻または処理終了時刻のいずれか遅い方の時刻に推定移動時間を加えた時刻が最も早い処理実行装置３０ａを選択するようにしてもよい。特に、複数回位置情報を取得する場合においては先に取得した位置情報を使用することができる。このようにすると、各処理実行装置３０ａから携帯端末２０の最初の位置に戻るまでの時間も考慮されるため、待ち時間が発生するが近くにある処理実行装置３０ａと待ち時間が発生しないが遠くにある処理実行装置３０ａとから適切に選択された処理実行装置３０ａで処理が実行されることになる。したがって、ユーザは処理結果を取得して元の位置に戻るまでの時間を最短とすることができる。
【００２３】
選択機器実行手段１６は、選択された処理実行機器３０ａに処理内容を実行させる。具体的には、処理情報取得手段１２が取得した処理情報を、機器選択手段１５が選択した処理実行機器３０ａに送信して受け付けさせることにより、後述する処理実行装置３０ａの処理実行手段３３に実行させる。選択機器実行手段１６は、ＣＰＵ１００で所定のプログラムを実行してネットワークＩ／Ｆ１２０を制御することにより構成可能である。
【００２４】
選択機器通知手段１７は、選択された処理実行機器３０ａを携帯端末２０に通知する。これにより、ユーザは処理情報の指示する処理がどの処理実行機器３０ａで実行されるかを認識することができる。選択機器通知手段１７は、ＣＰＵ１００で所定のプログラムを実行してネットワークＩ／Ｆ１２０を制御することにより構成可能である。
【００２５】
選択機器実行手段１６は、選択機器通知手段１７が通知した処理実行機器３０ａに対する承諾を携帯端末２０から受信するまで、処理実行機器３０ａに処理内容を実行させないようにしてもよい。携帯端末２０から承諾を受信したことを条件に処理情報を送信して受け付けさせるようにすることで、このような処理が可能である。これにより、ユーザは意図しない処理実行装置３０ａでの処理実行を防止できる。
【００２６】
＜携帯端末２０の機能構成＞
処理情報指定手段２１は、処理の対象となる処理情報を指定する。処理情報取得手段１２の説明で記載したように、処理情報を携帯端末２０から機器選択装置１０に送信することにより処理情報と携帯端末２０とが対応づけられる。また、他の機器が処理情報を対応づけて作成したチケットを受領し機器選択装置１０に送信することによっても処理情報の指定が可能である。処理情報指定手段２１は、ＣＰＵ２００で所定のプログラムを実行してネットワークＩ／Ｆ２２０を制御することにより構成可能である。
【００２７】
処理情報送信手段２２は、処理の対象となる処理情報を機器選択装置１０に送信する。処理情報取得手段１２の説明で記載したように、処理情報は本手段により携帯端末２０から送信するようにしてもよいし、他の機器から送信するようにしてもよい。他の機器から送信する場合、携帯端末２０は本手段を有していなくてもよい。処理情報送信手段２２は、ＣＰＵ２００で所定のプログラムを実行してネットワークＩ／Ｆ２２０を制御することにより構成可能である。
【００２８】
位置情報送信手段２３は、携帯端末２０の位置情報を機器選択装置１０に送信する。携帯端末２０の位置情報は、ＧＰＳ（Ｇｌｏｂａｌ  Ｐｏｓｉｔｉｏｎｉｎｇ  Ｓｙｓｔｅｍ）２６０により取得される。位置情報の取得は上記に限らず、例えばＩＭＥＳ（Ｉｎｄｏｏｒ  Ｍｅｓｓａｇｅ  Ｓｙｓｔｅｍ）、Ｗｉ−Ｆｉ（Ｗｉｒｅｌｅｓｓ  Ｆｉｄｅｌｉｔｙ）、超音波、可視光通信、自律航法型を利用した測位技術等によってもよい。位置情報送信手段２３は、ＣＰＵ２００で所定のプログラムを実行してＧＰＳ２６０およびネットワークＩ／Ｆ２２０を制御することにより構成可能である。
【００２９】
選択機器承諾手段２４は、機器選択装置１０の選択機器通知手段１７による選択された処理実行装置３０ａの通知に対する承諾を、ユーザの操作に応じて機器選択装置１０に送信する。承諾はディスプレイ２５０に表示され、ユーザの操作はＵＩ２３０で受けつけることが可能である。選択機器承諾手段２４は、ＣＰＵ２００で所定のプログラムを実行してディスプレイ２５０、ＵＩ２３０およびネットワークＩ／Ｆ２２０を制御することにより構成可能である。
【００３０】
＜処理実行機器３０ａの機能構成＞
位置情報提供手段３１は、処理実行機器３０ａの位置情報を機器選択装置１０に提供する。処理実行機器３０ａの位置情報は、携帯端末２０の位置情報と同様に、ＧＰＳ（不図示）等により取得可能である。また、位置情報記憶手段１１の説明で記載したように、処理実行機器３０ａの位置情報は、他の機器から提供することも可能である。具体的には、例えば処理実行機器３０ａの近傍にある端末機器（不図示）の有するＧＰＳ等による位置情報取得機能により取得した位置情報を端末機器から携帯端末２０に提供してもよい。このとき、端末機器の有するカメラで撮影した製造番号などの処理実行機器３０ａを特定する情報を位置情報とあわせて送信するようにすると、提供された位置情報と処理実行機器３０ａとの対応づけを容易に行うことができ、好適である。他の機器が位置情報を提供する場合、処理実行機器３０ａは本手段を有していなくてもよい。位置情報提供手段３１は、ＣＰＵ３００で所定のプログラムを実行してＧＰＳ等およびネットワークＩ／Ｆ２２０を制御することにより構成可能である。
【００３１】
受付状況管理手段３２は、受け付けた処理情報を所定の順序で後述する処理実行手段３３に実行させる。所定の順序とは、例えば受け付けた順（先入れ先出し）や先入れ後出しやランダムなどであり、処理情報の分類を考慮して順序を決めるようにしてもよい。受付状況管理手段３２により、所定の処理情報の実行が開始されるまでの待ち時間や所定の処理情報の実行に要する時間を推定することができる。受付状況管理手段３２は、ＣＰＵ３００で所定のプログラムを実行することにより構成可能である。
【００３２】
処理実行手段３３は、処理情報に基づいて処理を実行する。上述のとおり、本実施形態における処理実行機器は、ＭＦＰ（Ｍｕｌｔｉｆｕｎｃｔｉｏｎ  Ｐｅｒｉｐｈｅｒａｌ）等であり、コピー機能、スキャン機能、プリント機能等の画像処理を実行可能である。処理実行手段３３は、ＣＰＵ３００で所定のプログラムを実行してプロッタ３５０やスキャナ３６０を制御することにより構成可能である。
【００３３】
＜機器選択装置１０の処理フロー＞
次に、図６を参照して機器選択装置１０の処理フローを説明する。機器選択装置１０は、まず、位置情報記憶手段１１により所定の処理を実行する処理実行機器３０ａの位置情報を記憶する（ステップＳ１）。既に位置情報が記憶されているときは、最新の位置情報の取得を省略するようにしてもよい。
【００３４】
機器選択装置１０は、続いて、処理情報取得手段１２により、複数の処理実行機器３０ａのいずれかにより実行すべき処理内容を指示する処理情報を取得する（ステップＳ２）。
【００３５】
次に、機器選択装置１０は、終了時刻予測手段１３により、複数の処理実行機器の処理受付状況と該処理実行機器の処理実行速度とに基づいて該処理実行機器が処理内容を実行したときの処理終了時刻を予測する（ステップＳ３）。
【００３６】
続いて、機器選択装置１０は、位置情報取得手段１４により、処理情報と対応づけられた携帯端末２０の位置情報を取得する（ステップＳ４）。
【００３７】
機器選択装置１０は、次に、機器選択手段１５により、位置情報取得手段１４が取得した携帯端末２０の位置情報および取得時刻と、携帯端末２０の想定移動速度とに基づいて推定される、携帯端末２０が複数の処理実行機器３０ａの近傍に到着する到着時刻、および、処理終了時刻に基づいて、処理内容を実行すべき処理実行機器３０ａを選択する（ステップＳ５）。
【００３８】
機器選択装置１０は、続いて、選択機器通知手段１７により、選択された処理実行機器３０ａを携帯端末２０に通知する（ステップＳ６）。
【００３９】
さらに、機器選択装置１０は、選択機器実行手段１６により、選択された処理実行機器３０ａに処理内容を実行させる（ステップＳ７）。このとき、ステップＳ６で通知した選択された処理実行機器３０ａに対する承諾を携帯端末２０から受信するまで、処理を実行させないようにしてもよい。
【００４０】
上述の実施形態により、ユーザの指示した処理を実行する機器を、ユーザの行動に応じて選択することが可能な機器選択装置を構成可能となる。
【００４１】
以上本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【００４２】
１    機器選択システム
１０    機器選択装置
１１    位置情報記憶手段
１２    処理情報取得手段
１３    終了時刻予測手段
１４    位置情報取得手段
１５    機器選択手段
１６    選択機器実行手段
１７    選択機器通知手段
２０    携帯端末
２１    処理情報指定手段
２２    処理情報送信手段
２３    位置情報送信手段
２４    選択機器承諾手段
３０ａ、３０ｂ    処理実行機器
３１    位置情報提供手段
３２    受付状況管理手段
３３    処理実行手段
【先行技術文献】
【特許文献】
【００４３】
【特許文献１】特開２０１４−１５７４７０号公報
【図１】
2017027300.tif 000003
【図２】
2017027300.tif 000004
【図３】
2017027300.tif 000005
【図４】
2017027300.tif 000006
【図５】
2017027300.tif 000007
【図６】
2017027300.tif 000008